(57)【特許請求の範囲】
【請求項１】
フレームに対して自由に回転することがないように支持された中空の支持軸の外周に、外周面にブラシ材を取り付けたブラシ軸を回転可能に設け、前記ブラシ材を加熱するための加熱装置の発熱部を前記支持軸内に挿入して取り付けて、前記ブラシ軸が回転する洗車機の運転時に該発熱部を前記支持軸内に取付けたままにしておくことができるようにしたことを特徴とする、加熱装置を備えた洗車機。
【請求項２】
フレームに支持された中空の支持軸と、その支持軸の外周に回転可能に支持されたブラシ軸と、そのブラシ軸の外周面に取り付けたブラシ材と、前記ブラシ軸を回転駆動する回転駆動装置と、前記ブラシ材を加熱する加熱装置とを備え、
前記回転駆動装置は、前記ブラシ軸を前記支持軸に対して回転させるよう回転駆動することができるよう構成されており、前記支持軸内に、前記加熱装置の発熱部を挿入して取り付けて、前記ブラシ軸が回転する洗車機の運転時に該発熱部を前記支持軸内に取付けたままにしておくことができるようにしたことを特徴とする、加熱装置を備えた洗車機。
【発明の詳細な説明】
【０００１】
【発明の属する技術分野】
本発明は、洗車機に装備される回転ブラシのブラシ材に付着する水の凍結を防止するために、そのブラシ材を加熱する加熱装置を備えた洗車機に関するものである。
【０００２】
【従来の技術】
従来、洗車機の洗車終了後の運転休止時に、回転ブラシの布ブラシなどのブラシ材に付着した水が凍結して、洗車できない状況になるのを防止するため、ブラシ材を取り付けたブラシ軸の内部空所に加熱装置を着脱自在に設けたものが知られている。
【０００３】
【発明が解決しようとする課題】
ところが、上記従来の加熱装置を着脱自在に設けたものでは、洗車終了後の運転休止時に、ブラシ材を加熱する必要がある都度、加熱装置をブラシ軸に取り付け、また、次の洗車作業時にはブラシ軸から加熱装置を外す作業が必要であって、その着脱作業が面倒であるという問題がある。
【０００４】
本発明は、かかる実情に鑑みてなされたもので、洗車機のブラシ軸の内側（支持軸内）に加熱装置を取り付けたままでも洗車作業を行うことができて、その着脱操作をしないで済むようにして、前記問題を解決することを目的とするものである。
【０００５】
【課題を解決するための手段】
上記目的を達成するため、本請求項１記載の発明は、フレームに対して自由に回転することがないように支持された中空の支持軸の外周に、外周面にブラシ材を取り付けたブラシ軸を回転可能に設け、前記ブラシ材を加熱するための加熱装置の発熱部を前記支持軸内に挿入して取り付けて、前記ブラシ軸が回転する洗車機の運転時に該発熱部を前記支持軸内に取付けたままにしておくことができるようにしたことを特徴としており、かかる特徴によれば、ブラシ材に付着した水の凍結を防止するために、そのブラシ材を加熱するに関して、洗車機のブラシ軸の内側（支持軸内）に加熱装置の発熱部を取り付けたままでも、ブラシ軸を回転させて洗車作業を行うことができるから、前記従来のように面倒な加熱装置の着脱操作を行うことなく、必要に応じて加熱装置でブラシ材を加熱することができ、その作業性を高めることができる。また、ブラシ材に付着した水が加熱装置の装着忘れによって凍結することを防止できる。
【０００６】
また、上記目的を達成するため、本請求項２記載の発明は、フレームに支持された中空の支持軸と、その支持軸の外周に回転可能に支持されたブラシ軸と、そのブラシ軸の外周面に取り付けたブラシ材と、前記ブラシ軸を回転駆動する回転駆動装置と、前記ブラシ材を加熱する加熱装置とを備え、前記回転駆動装置は、前記ブラシ軸を前記支持軸に対して回転させるよう回転駆動することができるよう構成されており、前記支持軸内に、前記加熱装置の発熱部を挿入して取り付けて、前記ブラシ軸が回転する洗車機の運転時に該発熱部を前記支持軸内に取付けたままにしておくことができるようにしたことを特徴としており、かかる特徴によれば、前記請求項１記載の発明と同等の効果を奏する。
【０００７】
【発明の実施の形態】
以下、本発明の実施の形態を、添付図面に示した本発明の実施例に基づいて以下に具体的に説明する。
【０００８】
先ず、図１〜３を参照して本発明を、移動式洗車機のトップブラシに実施した第１実施例について説明する。
【０００９】
図１は、本発明装置を備えた移動式洗車機の概略正面図、図２は、図１の２−２線に沿う洗車機の側面図、図３は、図１の一部の拡大断面図である。
【００１０】
図１，２において、移動式洗車機は、洗浄すべき車両Ｖが潜り抜けられるように門型に形成された、フレームとしての走行フレーム１を備えており、この走行フレーム１の左右側部フレーム１Ｌ，１Ｒの下部前後には、駆動輪２，２と従動輪３，３とがそれぞれ回転自在に軸架され、駆動輪２，２は、左右側部フレーム１Ｌ，１Ｒに支持される走行モータ５，５に減速伝動機構を介して接続されている。前記駆動輪２，２および従動輪３，３は、据付面上に敷設される走行レール４，４上に転動自在に載置され、走行フレーム１は前記走行モータ５，５を正逆回転駆動することにより強制往復走行可能である。
【００１１】
前記走行フレーム１の左右側部フレーム１Ｌ，１Ｒには、左右一対のガイドレール６Ｌ，６Ｒが対称的に略鉛直に固定され、これらのガイドレール６Ｌ，６Ｒには、それらに沿って昇降できるように、対をなす左右台車７Ｌ，７Ｒがそれぞれ設けられる。各台車７Ｌ，７Ｒは、２枚の矩形板７ａ，７ｂと、これらの矩形板７ａ，７ｂを間隔をあけて互いに平行に一体に結合する２本のローラ軸９，９により枠状に形成されている。そして、それらのローラ軸９，９の中間部には、前記ガイドレール６Ｌ，６Ｒ上を走行するガイドローラ８，８が回転自在に支持されており、これらのガイドローラ８，８の両側には、これらがガイドレール６Ｌ，６Ｒから外れるのを防止するための鍔が一体に設けられている。
【００１２】
前記走行フレーム１の上部には、その左右方向に延びる昇降駆動軸１４が軸受を介して回転自在に支持され、この昇降駆動軸１４の一端（図１右端）は、チエン伝動機構Ｃｔを介して走行フレーム１に支持される、昇降モータ１３に連結されており、前記チエン伝動機構Ｃｔは、昇降モータ１３の原動軸に固定される駆動スプロケット１１、昇降駆動軸１４に固定される従動スプロケット１０、それらのスプロケット１１，１０に巻き掛けられる無端状チエン１２とより構成されている。
【００１３】
前記昇降駆動軸１４と、前記一対の台車７Ｌ，７Ｒとは、チエン昇降機構ＣＵを介して連結されている。このチエン昇降機構ＣＵは、昇降駆動軸１４の両端部に固定される一対の駆動スプロケット１５，１５に巻き掛けられるチエン１９，１９の一方を台車７Ｌ，７Ｒの上部にそれぞれ連結する一方、その他方を駆動スプロケット１５，１５と並べて走行フレーム１に支持した伝動スプロケット１６，１６を経由してバランスウェイト２１の上部に連結し、さらに、一対のガイドレール６Ｌ，６Ｒの下方で、走行フレーム１に支持した一対の従動スプロケット１７，１７に巻き掛けられる他のチエン２０の一方を台車７Ｌ，７Ｒの下部にそれぞれ連結する一方、その他方を従動スプロケット１７，１７と並べて走行フレーム１に支持した伝動スプロケット１８，１８を経由してバランスウェイト２１の下部に連結して構成されている。そして、昇降駆動軸１４が、図２の時計方向に回転駆動されると、前記チエン伝動機構ＣＵを介して一対の台車７Ｌ，７Ｒは同調して上昇駆動される。
【００１４】
左右一対の台車７Ｌ，７Ｒには、左右支持軸２２Ｌ，２２Ｒが横向きに回転可能に支持され、これらの支持軸２２Ｌ，２２Ｒの内端には、それぞれ左右揺動アーム２３Ｌ，２３Ｒが略直角に固定される。図３に明瞭に示すように、これらの左右揺動アーム２３Ｌ，２３Ｒの先端部には、略水平に延びる、中空の支持軸２４の両端がブラケット２５，２５を介して固定、支持されている。この支持軸２４の外周には、回転ブラシとしての、トップブラシＴＢの、中空のブラシ軸３０が複数の軸受３１を介して回転可能に支承されており、このブラシ軸３０の外周面に、布ブラシ３２が通常の取付手段により取り付けられている。
【００１５】
しかして、前述したように、支持軸２４は、左右揺動アーム２３Ｌ，２３Ｒに対して固定されるが、これらの揺動アーム２３Ｌ，２３Ｒが揺動するとき、その揺動角に応じて走行フレーム１に対しては相対的に回転することになるが、前記揺動アーム２３Ｌ，２３Ｒの揺動角は３６０°以上になることがないので、支持軸２４は、走行フレームに対して自由（３６０°以上）に回転することはない。
【００１６】
ブラシ軸３０の一方の端部（図３左側の端部）は、左揺動アーム２３Ｌの内壁に開口した開口部３３を貫通して、その揺動アーム２３Ｌ内に進入しており、そこに従動スプロケット２８が一体に設けられている。また、左揺動アーム２３Ｌの外壁の一側には、ブラシ回転駆動用のモータ２６が支持されており、このモータ２６のモータ軸の端部は、左揺動アーム２３Ｌ内に突入しており、そこに駆動スプロケット２７が固定されている。左揺動アーム２３Ｌ内において、前記駆動スプロケット２７と従動スプロケット２８間には、無端状の伝動チエン２９が巻き掛けられている。したがって、前記ブラシ駆動用モータ２６の回転駆動によれば、駆動スプロケット２７、チエン２９および従動スプロケット２８を介して、トップブラシ２５のブラシ軸３０を正、逆回転させることができる。
【００１７】
しかして、ブラシ駆動用モータ２６、駆動スプロケット２７、従動スプロケット２８およびチエン２９は協働して、請求項２記載の発明における回転駆動装置を構成する。
【００１８】
図３に明瞭に示すように、中空の支持軸２４には本発明にかかる加熱装置Ｈが設けられる。この加熱装置Ｈは、電気加熱式であって、発熱部４０と、その基端に接続されるリード線４２と、このリード線４２に接続された開閉スイッチ４４とより構成されている。
【００１９】
なお、開閉スイッチ４４は走行フレーム１の適所に取り付けられており、電源４５に接続されている。
【００２０】
前記発熱部４０は、棒状に形成されていて、前記中空の支持軸２４の一端から、その支持軸２４内に挿入されており、その自由端は、ブラシ軸３０の右側の端部近くまで達している。そして、発熱部４０の両端部は、支持軸２４内に設けたゴムブッシュ４１により両持ち支持されていて、この発熱部４０と、支持軸２４との間には、環状の間隙が保たれてそれらが直接接触しないようになっている。発熱部４０の基端に接続されるリード線４２は、支持軸２４の一端に固定した絶縁栓体４３を貫通して外部に延長され、開閉スイッチ４４を介して電源４５に接続される。前記支持軸２４の自由端（図３右端）は、盲栓４６により封緘されている。
【００２１】
前記トップブラシＴＢにより車両Ｖの上面を洗浄するには、その車両Ｖを走行レール４，４間に停車させ、走行モータ５の駆動による走行フレーム１の往復走行制御と、ブラシ駆動用モータ２６の回転によるトップブラシＴＢの正逆回転制御と、昇降モータ１３の駆動による一対の台車７Ｌ，７Ｒの昇降によるトップブラシＴＢの昇降制御とにより、トップブラシＴＢを車両Ｖの上面、すなわちボンネット面、ルーフ面およびトランクリッド面に追従接触させ、それらの面をブラシング洗浄することができる。
【００２２】
なお、トップブラシＴＢによる車両Ｖの上面の洗浄行程は、従来のこの種洗車機と変わることがないので、その詳細な説明を省略する。
【００２３】
ところで、このような洗浄行程を終了すれば、洗車機の運転を一旦休止するが、その後においても、トップブラシＴＢのブラシ材には、未だ水が付着、含水した状態にあり、特に、この実施例のようにブラシ材が、ブラシ布３２である場合には、その保水性、含水性が高いため、そのブラシ布３２に付着、含水する水の量が多くなる傾向にある。
【００２４】
しかして、前記洗車機の運転を寒冷地、冬期等で行った場合には、その運転休止後に、トップブラシＴＢのブラシ布３２に付着、含水した水が凍結して、以後の洗車ができなくなる事態を招くことがある。かかる事態を解消するため、本発明に従う加熱装置Ｈを作動させる。すなわち、ブラシ布３２に付着、含水した水が凍結する恐れがあるときは、開閉スイッチ４４を閉にすれば、棒状の発熱部４０に通電され、この発熱部４０の発熱によって支持軸２４およびブラシ軸３０内の密閉状の空所内の空気が昇温される。これによりブラシ軸３０の外側に位置しているブラシ布３２が、ブラシ軸３０を介して熱伝導により万遍なく加熱され、そのブラシ布３２に付着、含水している水を加熱することができ、その凍結を未然に防止することができる。
【００２５】
しかして、本第１実施例は次の特徴を備える。
【００２６】
1)  加熱装置Ｈの加熱部４０は、洗車機の運転時にも、支持軸２４内に取り付けたままにしておくことができ、その着脱をしないで済む。
【００２７】
2)  前記発熱部４０を、洗車機の運転時に、支持軸２４に取り付けたままにしておくことができるので、ブラシ材に付着した水が加熱装置の装着忘れによって凍結することを防止することができる。
【００２８】
3)  前記発熱部４０は、洗車機の運転時に通電しておくことができるので、ブラシ材３２に付着した水が加熱装置Ｈの装着忘れによって凍結することを防止できる。
【００２９】
4)  その発熱ブラシ４０は、ブラシ軸３０の略全長に亘って延びていることにより、ブラシ布３２をその全域にわたり万遍なく加熱することができる。
【００３０】
5)  その発熱部４０は、支持軸２４にゴムブッシュ４１を介してその軸線上に保持され、支持軸２４が移動してもその位置がずれることがない。
【００３１】
次に、図４〜６を参照して、本発明の第２実施例について説明する。
【００３２】
この第２実施例は、本発明を、車両の側面を洗浄するサイドブラシに実施した場合であり、図４は洗車機の正面図、図５は、図４の５−５線に沿う洗車機の側面図、図６は、図４の６−６線に沿う断面図である。
【００３３】
図４，５において、移動式洗車機の走行フレーム１０１は、洗浄すべき車両Ｖを跨ぐように門型に形成され、その左右両側下部の前後に軸架された、走行モータ１０５に連動する駆動輪１０２および従動輪１０３とにより走行レール１０４上を往復走行可能である。走行フレーム１０１の上部左右には、横軸１０６が軸受を介して回転自在に支持され、この横軸１０６には、走行フレーム１０１の上部を横方向にのびる案内レール１０７が固定されている。案内レール１０７には、左右一対の台車１０８が  それぞれ往復走行可能に支持され、各台車１０８の上部には、案内レール１０７上を転動する駆動輪１０９および従動輪１１０が回転自在に支持され、また各台車１０８の下部には案内レール１０７の下部を転動する複数の転動輪１１１が回転自在に支持されており、駆動輪１０９には、台車１０８に支持された、台車開閉用モータ１１５が連結されている。
【００３４】
図５に明瞭に示すように、各台車１０８の下端には軸受ボックス１１６が固定され、この軸受ボックス１１６内には、その下部の開口より、回転不能な、中空の支持軸１２４の上端部を突入させ、この上端部は、軸受ボックス１１６に一対の軸受１１７を介して支持される揺動軸１１８をもって走行フレーム１０１の左右方向に揺動可能に支持されている。また、前記支持軸１２４の上部には、軸受ボックス１１６内で、一対の中立アーム１１９が固定され、これらの中立アーム１１９は、軸受ボックス１１６の底部に固定した一対のボス状の中立防振ゴム１２０を介して、その軸受ボックス１１６に支承されている。したがって、支持軸１２４に何らの外力も作用せず、自由状態にあるときは、前記中立防振ゴム１２０の作用により、支持軸１２４は、垂直に支持される。
【００３５】
支持軸１２４には、軸受１２９を介して、回転ブラシとしての、サイドブラシＳＢの中空のブラシ軸１３０が回転自在に支承され、このブラシ軸１３０の外周面にブラシ布１３２が取り付けられている。また、軸受ボックス１１６の下方において、支持軸１２４には伝動ボックス１２７が固定され、この伝動ボックス１２７に支持した、ブラシ駆動用モータ１２６のモータ軸に固定した駆動スプロケット１３３は、伝動ボックス１２７内で、ブラシ軸１３０の上端に固定した従動スプロケット１３４に無端状チエン１３５を介して連結されており、前記モータ１２６の駆動により、サイドブラシＳＢのブラシ軸１３０を正、逆回転駆動することができる。
【００３６】
しかして、ブラシ駆動用モータ１２６、駆動スプロケット１３３、従動スプロケット１３４および無端状チエン１３５は協働して、本発明における回転駆動装置を構成する。
【００３７】
図６に明瞭に示すように、中空の支持軸１２４内には、本発明にかかる加熱装置Ｈが設けられる。この加熱装置Ｈは、前記第１実施例のものと同じ構成のものであり、その発熱部１４０は、棒状に形成されていて、前記中空の支持軸１２４の一端から、その支持軸１２４内に挿入されて、ブラシ軸１３０の略全長に亘って延びている。そして、この発熱部１４０の両端部は、支持軸１２４内に設けたゴムブッシュ１４１により両持ち支持されている。発熱部１４０の基端に接続されるリード線１４２は、支持軸１２４の上端に固定した絶縁栓体１４３を貫通して外部に延長され、走行フレーム１０１に取り付けられた開閉スイッチ１４４を介して電源１４５に接続される。また、支持軸１２４の開口下端は、栓体１４６により封緘されている。
【００３８】
いま、回転ブラシとしての、前記サイドブラシＳＢにより車両Ｖの前後面および両側面を洗浄するには、走行レール１０４間に車両Ｖを停車させたのち、走行モータ１０２の回転による走行フレーム１０１の往復走行制御と、開閉用モータ１１５の回転による一対のサイドブラシＳＢの開閉制御と、ブラシ駆動用モータ１２５の駆動制御による、一対のサイドブラシＳＢの正逆回転制御とにより、車両Ｖの前後面および両側面をブラシング洗浄することができる。
【００３９】
なお、この種の洗車機の、サイドブラシＳＢによる、車両Ｖの前後面および両側面のブラシング洗浄行程は、従来と変わるところがないので、その詳細な説明を省略する。
【００４０】
ところで、このような洗浄行程を終了すれば、洗車機の運転を一旦休止するが、その後においても、サイドブラシＳＢのブラシ材には、未だ水が付着、含水した状態にあり、特に、この実施例のようにブラシ材が、ブラシ布１３２である場合には、その保水性、含水性ががよいため、そのブラシ布１３２に付着、含水する水の量が多くなる傾向にある。
【００４１】
しかして、前記洗車機の運転を寒冷地、冬期等で行った場合には、その運転休止後に、サイドブラシＳＢのブラシ布１３２に付着、含水した水が凍結して、以後の洗車ができなくなる事態を招くことがある。かかる事態を解消するため、本発明に従う加熱装置Ｈを作動させる。すなわち、ブラシ布１３２に付着、含水した水が凍結する恐れがあるときは、開閉スイッチ１４４を閉にすれば、棒状の発熱体１４０の発熱によって支持軸１２４およびブラシ軸１３０内の密閉状の空所内の空気が昇温される。これによりブラシ軸１３０の外側に位置しているブラシ布１３２が、ブラシ軸１３０を介して熱伝導により万遍なく加熱され、そのブラシ布１３２に付着、含水している水を加熱することができ、その凍結を未然に防止することができる。
【００４２】
本第２実施例も前記第１実施例が備える特徴の前記1)〜5)と同様な特徴を備える。
【００４３】
次に、本発明の第３実施例について説明する。
【００４４】
前記第１，２実施例では、開閉スイッチ４４，１４４を手動で開閉操作することで加熱装置Ｈを作動させる、すなわち加熱装置Ｈを「手動加熱制御」させているが、この第３の実施例では、この「手動加熱制御」に代えて加熱装置Ｈを「自動加熱制御」するようにしている。
【００４５】
図２，３に示すように、フレーム１，１０１の前面適所に設けられる制御盤ＣＢの下部には、気温検出手段としての、外気温を検出するための温度センサＴＳが設けられると共にその内部には、この温度センサＴＳの検出気温に基づいて加熱装置Ｈの作動・不作動を制御する制御装置ＣＭが設けられており、たとえば、温度センサＴＳが１°Ｃ以下を検出しているときは、加熱装置Ｈを作動させてブラシ３２，１３２を加熱するようにし、また、温度センサＴＳが１°Ｃ以下を検出していないときは、加熱装置Ｈを不作動にする制御をする、すなわち「自動加熱制御」する。
【００４６】
この第３実施例における「自動加熱制御」において、温度センサーが１°Ｃ以下を検出してから、その後に気温が上昇して、温度センサＴＳが１°Ｃ以下を検出しなくなったときから所定時間（たとえば、１時間）の間、加熱装置Ｈを作動させてブラシ材３２，１３２を加熱するように制御、すなわち「延長加熱制御」するようにしてもよい。
【００４７】
この「延長加熱制御」により、加熱装置Ｈを作動させていてもブラシ材３２，１３２に付着した水が凍結するほどの温度まで気温が低下した場合にも、この凍結を効果的に解凍することができる。
【００４８】
また、前記「延長加熱制御」に代えて、加熱装置Ｈを作動させていてもブラシ材３２，１３２に付着した水が凍結する温度（たとえば、マイナス５°Ｃ以下）まで気温が低下したこと、すなわち加熱時凍結気温を温度センサＴＳが検出したときは、その後に気温が上昇して温度センサＴＳが１°Ｃ以下を検出しなくなっても、その温度センサＴＳが１°Ｃを検出しなくなったときから所定時間（たとえば、１時間）の間、加熱装置Ｈを作動させてブラシ材３２，１３２を加熱するように制御し、また、温度センサＴＳが加熱時凍結気温を検出しなかったときは、温度センサＴＳが１°Ｃ以下を検出しなくなったときに、加熱装置Ｈを不作動にするように制御、すなわち「選択延長加熱制御」するようにしてもよい。この「選択延長加熱制御」により加熱時凍結気温まで低下したときには、ブラシ材３２，１３２に付着した水の凍結を効果的に解凍することができる。
【００４９】
以上、本発明の第１〜３実施例について説明したが、本発明はその実施例に限定されることなく、本発明の範囲内で種々の実施例が可能である。
【００５０】
たとえば、前記実施例では、本発明を、洗車機器を装備させたフレームを車両に対して移動させる、所謂移動式の洗車機に実施した場合を説明したが、フレームを据付面に固定して、車両を自走、あるいはコンベア等の移動手段で移動させるようにした、所謂固定式の洗車機にも実施できることは勿論である。また、前記実施例では、本発明を布ブラシを有する回転ブラシに実施した場合を説明したが、これを合成樹脂製その他のブラシ毛を有する回転ブラシにも実施できる。さらに前記実施例では、加熱装置は、電気加熱式のものを採用しているが、これに代えて流体加熱式などの他の型式のものを採用してもよい。
【００５１】
【発明の効果】
以上のように、請求項各項記載の発明によれば、ブラシ材を加熱する加熱装置の発熱部を洗車機のブラシ軸の内側（支持軸内）に取り付けたままでも、ブラシ軸を回転させて洗車作業を行うことができるから、従来のように面倒な加熱装置の着脱操作を行うことなく、必要に応じて加熱装置でブラシ材を加熱することができ、その作業性を高めることができる。また、ブラシ材に付着した水が加熱装置の装着忘れによって凍結することを防止できる。
【図面の簡単な説明】
【図１】  本発明装置を備えた移動式洗車機の概略正面図（第１実施例）
【図２】  図１の２−２線に沿う洗車機の側面図（第１，３実施例）
【図３】  図１の一部の拡大断面図（第１，３実施例）
【図４】  本発明装置を備えた移動式洗車機の概略正面図（第２，３実施例）
【図５】  図４の５−５線に沿う洗車機の側面図（第２，３実施例）
【図６】  図４の６−６線に沿う拡大断面図（第２，３実施例）
【符号の説明】
１，１０１・・・・・・・・フレーム（走行フレーム）
２４，１２４・・・・・・・支持軸（支持部材）
２６，１２６・・・・・・・回転駆動装置としてのモータ
２７，１３３・・・・・・・回転駆動装置としての駆動スプロケット
２８，１３４・・・・・・・回転駆動装置としての従動スプロケット
２９，１３５・・・・・・・回転駆動装置としのチエン
３０，１３０・・・・・・・ブラシ軸
３２，１３２・・・・・・・ブラシ材（ブラシ布）
４０，１４０・・・・・・・発熱部
Ｈ・・・・・・・・・・・・加熱装置
ＣＭ・・・・・・・・・・・制御装置
【図１】
0003838624.tif 000002
【図２】
0003838624.tif 000003
【図３】
0003838624.tif 000004
【図４】
0003838624.tif 000005
【図５】
0003838624.tif 000006
【図６】
0003838624.tif 000007